(57)【要約】【課題】印刷に際してユーザが位置設定を行う操作を容易にし、意図した印刷結果にすることで、印刷ミスを低減する。【解決手段】出力する文書のプレビュー画像を含む画面を表示する表示手段と、前記画面上の位置の指定を受け付ける位置指定受付手段と、前記文書の画像に対して、前記位置指定受付手段により受け付けた位置に対応する編集を行う編集手段とを備える。【選択図】図１
2014112782.tif 000002
【特許請求の範囲】
【請求項１】
出力する文書のプレビュー画像を含む画面を表示する表示手段と、
前記画面上の位置の指定を受け付ける位置指定受付手段と、
前記文書の画像に対して、前記位置指定受付手段により受け付けた位置に対応する編集を行う編集手段と
を備えたことを特徴とする画像形成装置。
【請求項２】
請求項１に記載の画像形成装置において、
前記位置指定受付手段の位置精度情報に基づいてグリッド線を前記プレビュー画像上に表示する手段
を備えたことを特徴とする画像形成装置。
【請求項３】
請求項１または２のいずれか一項に記載の画像形成装置において、
前記編集手段は、画像に付加情報を追加する編集もしくはその他の編集を行う
ことを特徴とする画像形成装置。
【請求項４】
出力する文書のプレビュー画像を含む画面を表示する表示手段と、
前記画面上の位置の指定を受け付ける位置指定受付手段と、
前記文書の画像に対して、前記位置指定受付手段により受け付けた位置に対応する編集を行う編集手段と
を備えたことを特徴とする画像形成システム。
【請求項５】
コンピュータを、
出力する文書のプレビュー画像を含む画面を表示する表示手段、
前記画面上の位置の指定を受け付ける位置指定受付手段、
前記文書の画像に対して、前記位置指定受付手段により受け付けた位置に対応する編集を行う編集手段
として機能させることを特徴とする画像形成プログラム。
【発明の詳細な説明】
【技術分野】
【０００１】
本発明は、画像形成装置の制御技術に関する。
【背景技術】
【０００２】
複合機等の画像形成装置では、パーソナルコンピュータから印刷する際に印刷前にプレビュー画面を表示させることで印刷ミスを減らす仕組みと同じように、コピー時にも仕上がりプレビューを表示させることで印刷ミスを減らす仕組みが既に知られている（特許文献１〜３、非特許文献１、２等を参照。）。
【０００３】
従来の印刷前プレビュー表示では、印刷される転写紙の大まかな構成として、集約の位置関係等を一覧することができる。
【０００４】
また、プレビュー画面上でステープル止めやパンチ穴を開ける位置の確認も行えるが、それらの位置の設定は、用紙端部からのＸ方向・Ｙ方向の位置を示す数値をアップ／ダウンボタン等により入力するのが基本となっている。
【発明の概要】
【発明が解決しようとする課題】
【０００５】
上述したように、従来の印刷前プレビュー表示は、印刷の仕上がり状態を確認できるものでしかなく、ユーザによる位置指定の操作を容易にするものではなかった。
【０００６】
本発明は上記の従来の問題点に鑑み提案されたものであり、その目的とするところは、印刷に際してユーザが位置設定を行う操作を容易にし、意図した印刷結果にすることで、印刷ミスを低減することにある。
【課題を解決するための手段】
【０００７】
上記の課題を解決するため、本発明にあっては、出力する文書のプレビュー画像を含む画面を表示する表示手段と、前記画面上の位置の指定を受け付ける位置指定受付手段と、前記文書の画像に対して、前記位置指定受付手段により受け付けた位置に対応する編集を行う編集手段とを備えるようにしている。
【発明の効果】
【０００８】
本発明にあっては、印刷に際してユーザが位置設定を行う操作を容易にし、意図した印刷結果にすることで、印刷ミスを低減することができる。
【図面の簡単な説明】
【０００９】
【図１】本発明の一実施形態にかかるシステムの構成例を示す図である。
【図２】ページ印字の例を示す図である。
【図３】スタンプの例を示す図である。
【図４】実施形態の処理例を示すフローチャート（その１）である。
【図５】実施形態の処理例を示すフローチャート（その２）である。
【図６】実施形態の処理例を示すフローチャート（その３）である。
【図７】ページ印字の操作例を示す図（その１）である。
【図８】ページ印字の操作例を示す図（その２）である。
【図９】ページ印字の操作例を示す図（その３）である。
【図１０】ページ印字の操作例を示す図（その４）である。
【図１１】ページ印字の操作例を示す図（その５）である。
【図１２】ページ印字の操作例を示す図（その６）である。
【発明を実施するための形態】
【００１０】
以下、本発明の好適な実施形態につき説明する。
【００１１】
＜構成＞
図１は本発明の一実施形態にかかるシステムの構成例を示す図である。
【００１２】
図１において、複合機等の画像形成装置１はＬＡＮ（Local Area Network）等のネットワーク２に有線もしくは無線により接続されるとともに、タブレット３、スマートフォン４、パーソナルコンピュータ５等の端末装置が有線もしくは無線によりネットワーク２を介して画像形成装置１に接続可能となっている。
【００１３】
画像形成装置１は、制御部１０と表示部兼操作部１１と画像入力部１２と画像出力部１３と画像変換部１４と画像編集部１５と１次記憶部１６と２次記憶部１７とを備えている。
【００１４】
制御部１０は、画像形成装置１全体の主たる制御を行ない、各部への制御要求を行う機能を有している。
【００１５】
表示部兼操作部１１は、ＬＣＤ（Liquid Crystal Display）等のディスプレイの表示面にタッチパネル等の位置入力機構が設けられたものであり、ユーザに対して操作画面等を表示するとともに、ユーザのタッチによる操作指示や位置指定を受け付ける機能を有している。
【００１６】
なお、タブレット３、スマートフォン４もしくはパーソナルコンピュータ５が画像形成装置１に接続される場合、表示部兼操作部１１の機能はタブレット３、スマートフォン４もしくはパーソナルコンピュータ５のディスプレイ、タッチパネル、マウス、キーボード等によって代替される。
【００１７】
画像入力部１２は、スキャナ機構により原稿の画像を読み取ったり、２次記憶部１７から蓄積された画像を読み出したりして、画像を入力する機能を有している。
【００１８】
画像出力部１３は、プリンタエンジンにより文書の画像を印刷したり、ＦＡＸ機構等により画像を送信したりする機能を有している。
【００１９】
画像変換部１４は、画像入力部１２により入力した画像や２次記憶部１７から読み出した画像を表示部兼操作部１１等での表示用の画像に変換する機能を有している。
【００２０】
画像編集部１５は、画像入力部１２により入力した画像や２次記憶部１７から取得された画像に対して拡大／縮小、回転、印字合成等の編集処理を行う機能を有している。印字する文字等の拡大／縮小、回転等も行う。
【００２１】
１次記憶部１６は、画像処理や制御処理のための情報を一時的に格納する機能を有している。
【００２２】
２次記憶部１７は、画像や設定関連の情報を永続的に格納する機能を有している。設定関連の情報として、各種の設定情報や装置の構成情報等が格納されている。後述する処理に関係する設定情報としては、位置指定操作時にグリッド線を表示するか否かの情報や、グリッド線の表示間隔の決定に用いる位置精度情報等が含まれる。後述する処理に関係する構成情報としては、表示部兼操作部１１の液晶パネルの検出分解能等を含む液晶パネル情報等が含まれる。
【００２３】
なお、タブレット３、スマートフォン４もしくはパーソナルコンピュータ５が画像形成装置１に接続される場合、画像形成装置１の一部の機能はタブレット３、スマートフォン４もしくはパーソナルコンピュータ５で実現することができる。
【００２４】
また、図示の画像形成装置１とタブレット３、スマートフォン４、パーソナルコンピュータ５が接続された形態は本発明の範囲を限定するものではなく、用途や目的に応じて様々なシステム構成例があることは言うまでもない。
【００２５】
＜動作概要＞
本発明が適用可能なユーザによる位置設定を行う操作として、例えば次のようなものがある。
【００２６】
・画像に付加情報を追加する場合
ページ番号
スタンプ（「丸秘」／「Ｄｒａｆｔ」／「社外秘」等）
機密印字
ウォーターマーク
日付／日時
ユーザ名印字
ユーザスタンプ
任意文字印字
バーコード
２次元バーコード  等々
【００２７】
・画像を編集する場合
綴じ代位置調整
パンチ穴消去  等々
【００２８】
・その他の場合
パンチ位置
ステープル位置  等々
【００２９】
図２は画像の余白部分にページ番号を印字するページ印字の例を示す図であり、画像形成装置１の表示部兼操作部１１にユーザが指でタッチすることで、ページ印字の位置設定を行うことができる。
【００３０】
同様に、タブレット３、スマートフォン４もしくはパーソナルコンピュータ５からもページ印字の位置設定を行うことができる。
【００３１】
図３は画像に「社外秘」等の所定の画像を付加するスタンプの例を示す図であり、画像形成装置１の表示部兼操作部１１にユーザが指でタッチすることで、スタンプを付す位置の設定を行うことができる。
【００３２】
同様に、タブレット３、スマートフォン４もしくはパーソナルコンピュータ５からもスタンプを付す位置の設定を行うことができる。
【００３３】
＜詳細動作＞
図４〜図６は実施形態の処理例を示すフローチャートである。なお、ページ印字を例に説明するが、ユーザによる他の位置設定の操作にも適用できることは言うまでもない。また、図７〜図１２はページ印字の操作に伴う画面例等を示している。
【００３４】
図４において、処理を開始すると、先ず、画像形成装置１内部の初期設定を行い（ステップＳ１）、次いで、印刷時の設定と印刷開始を行う（ステップＳ２）。
【００３５】
図５は図４の初期化（ステップＳ１）の処理例を示すフローチャートである。
【００３６】
図５において、処理を開始すると、ユーザの要求（操作）に応じて、初期設定を行うか否か判断する（ステップＳ１０１）。初期設定を行わない場合（ステップＳ１０１のＮｏ）、処理を終了する。
【００３７】
初期設定を行う場合（ステップＳ１０１のＹｅｓ）、ユーザの要求（操作）に応じて、グリッド線の表示を行うか否か判断する（ステップＳ１０２）。グリッド線の表示を行わない場合（ステップＳ１０２のＮｏ）、処理を終了する。
【００３８】
グリッド線の表示を行う場合（ステップＳ１０２のＹｅｓ）、グリッド線表示の初期設定を行う（ステップＳ１０３）。すなわち、位置指定に際してグリッド線を表示するよう設定する。
【００３９】
次いで、構成情報から液晶パネル情報を取得し、その液晶パネル情報から検出分解能等を抽出して位置精度情報として設定する（ステップＳ１０４）。そして、処理を終了する。
【００４０】
図６は図４の印刷（ステップＳ２）の処理例を示すフローチャートである。
【００４１】
図６において、処理を開始すると、ユーザの要求（操作）に応じて、原稿（文書原稿）の読み込み（コピー）を行うか否か判断する（ステップＳ２０１）。
【００４２】
原稿の読み込みを行う場合（ステップＳ２０１のＹｅｓ）、原稿の読み込みを行う（ステップＳ２０２）。
【００４３】
原稿の読み込みを行わない場合（ステップＳ２０１のＮｏ）、蓄積文書の選択を行う（ステップＳ２０３）。
【００４４】
次いで、読み込んだ原稿の画像もしくは選択された蓄積文書の画像に基づいてプレビュー画面を表示する（ステップＳ２０４）。
【００４５】
図７（ａ）は、プレビュー画面の例を示しており、左側に文書の１ページを全体表示したプレビュー画像が表示され、右側に印刷開始を指示する「出力」ボタンとページ印字の設定開始を指示する「ページ印字」ボタンが表示されている。
【００４６】
図６に戻り、ユーザの要求（操作）に応じて、プレビュー画像を任意の大きさに拡大縮小する（ステップＳ２０５）。
【００４７】
図７（ｂ）は、プレビュー画面の左側のプレビュー画像として、用紙の右下の端部が拡大された状態を示している。
【００４８】
図６に戻り、ユーザの要求（操作）に応じて、ページ印字設定を行うか否か判断する（ステップＳ２０６）。
【００４９】
図７（ｃ）は、図７（ａ）の状態から「ページ印字」ボタンが押された状態を示している。
【００５０】
図６に戻り、ページ印字設定を行わない場合（ステップＳ２０６のＮｏ）、ユーザの印刷の要求（操作）を待って画像の印刷を行ない（ステップＳ２１２）、処理を終了する。
【００５１】
ページ印字設定を行う場合（ステップＳ２０６のＹｅｓ）、初期設定による設定情報がグリッド線表示か否か判断する（ステップＳ２０７）。
【００５２】
グリッド線表示である場合（ステップＳ２０７のＹｅｓ）、設定情報の位置精度情報に基づいてグリッド線をプレビュー画面上に表示する（ステップＳ２０８）。例えば、位置精度情報により把握される最小の検出分解能に相当する間隔のグリッド線を表示する。
【００５３】
図８（ａ）は、図７（ａ）（ｃ）の当初のプレビュー画像に対してグリッド線が表示された状態を示している。図８（ｂ）は、図７（ｂ）の拡大されたプレビュー画像に対してグリッド線が表示された状態を示している。
【００５４】
図６に戻り、グリッド線表示でない場合（ステップＳ２０７のＮｏ）、グリッド線の表示（ステップＳ２０８）はスキップする。
【００５５】
図９（ａ）は、図７（ａ）（ｃ）の当初のプレビュー画像に対してグリッド線が表示されなかった状態を示している。図９（ｂ）は、図７（ｂ）の拡大されたプレビュー画像に対してグリッド線が表示されなかった状態を示している。
【００５６】
図６に戻り、ユーザのタッチ操作によるページ印字位置の指示を受け付ける（ステップＳ２０９）。
【００５７】
次いで、受け付けたページ印字位置（タッチパネルの入力位置）とプレビュー画像の拡大縮小率から、実際の画像上の印字位置を決定する（ステップＳ２１０）。
【００５８】
次いで、上記の処理で求めた印字位置に印字データを展開して画像合成する（ステップＳ２１１）。
【００５９】
図１０（ａ）は、図８（ａ）の状態で指により所望のページ印字位置を押した状態を示している。図１０（ｂ）は、図８（ｂ）の状態で指により所望のページ印字位置を押した状態を示している。図１１（ａ）は、図９（ａ）の状態で指により所望のページ印字位置を押した状態を示している。図１１（ｂ）は、図９（ｂ）の状態で指により所望のページ印字位置を押した状態を示している。
【００６０】
図６に戻り、ユーザの印刷の要求（操作）を待って画像の印刷を行ない（ステップＳ２１２）、処理を終了する。
【００６１】
図１２は、画像形成装置１から、ユーザの意図した位置にページ印字が付加された用紙が出力（印刷）された状態を示している。
【００６２】
＜総括＞
以上説明したように、本実施形態によれば、印刷に際してユーザが位置設定を行う操作を容易にし、意図した印刷結果にすることで、印刷ミスを低減することができる。
【００６３】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００６４】
１        画像形成装置
１０      制御部
１１      表示部兼操作部
１２      画像入力部
１３      画像出力部
１４      画像変換部
１５      画像編集部
１６      １次記憶部
１７      ２次記憶部
２        ネットワーク
３        タブレット
４        スマートフォン
５        パーソナルコンピュータ
【先行技術文献】
【特許文献】
【００６５】
【特許文献１】特開２０１０−３５０１９号公報
【特許文献２】特許第４６６０５８５号公報
【特許文献３】特許第４７０４２３４号公報
【非特許文献】
【００６６】
【非特許文献１】「ｂｉｚｈｕｂのよくあるご質問」、ＫＯＮＩＣＡ  ＭＩＮＯＬＴＡ、http://www.konicaminolta.jp/business/support/copiers/faq/bizhub_062.html
【非特許文献２】「Ｍｕｌｔｉｆｕｎｃｔｉｏｎ  Ｃｏｐｙ  多機能コピー」、ＳＨＡＲＰ、http://www.sharp.co.jp/print/newmodel/mono/high/mx-m753/feature06.html
【図１】
2014112782.tif 000003
【図４】
2014112782.tif 000004
【図５】
2014112782.tif 000005
【図６】
2014112782.tif 000006
【図１２】
2014112782.tif 000007
【図２】
2014112782.tif 000008
【図３】
2014112782.tif 000009
【図７】
2014112782.tif 000010
【図８】
2014112782.tif 000011
【図９】
2014112782.tif 000012
【図１０】
2014112782.tif 000013
【図１１】
2014112782.tif 000014